(57)【要約】【課題】様々な試験を天井などの設置場所から取り外すことなく行うことができる防止機器を提供すること。【解決手段】複数種類の試験を行うことが可能な感知器１であって、感知器１の外部の、所定の近接領域から入力される試験信号を検出する磁界検出部１２のホールＩＣと、磁界検出部１２のホールＩＣが検出した試験信号に基づいて、感知器１の試験を行う試験部１５１と、を備え、試験部１５１は、磁界検出部１２のホールＩＣによる試験信号の検出継続時間に基づいて、複数種類の試験のうちの少なくとも１種類の試験を選択し、選択した少なくとも１種類の試験を行い、試験部１５１は、磁界検出部１２のホールＩＣが所定時間以上連続して試験信号を検出した場合に、感知器１の試験を行う。【選択図】図２
2020154717.tif 000002
【特許請求の範囲】
【請求項１】
防災又は防犯のために用いられる防止機器であって、複数種類の試験を行うことが可能な前記防止機器であって、
前記防止機器の外部の、所定の近接領域から入力される試験信号を検出する検出手段と、
前記検出手段が検出した前記試験信号に基づいて、前記防止機器の試験を行う試験手段と、を備え、
前記試験手段は、前記検出手段による前記試験信号の検出継続時間に基づいて、前記複数種類の試験のうちの少なくとも１種類の試験を選択し、選択した前記少なくとも１種類の試験を行う、
防止機器。
【請求項２】
前記試験手段は、前記検出手段が所定時間以上連続して前記試験信号を検出した場合に、前記防止機器の試験を行う、
請求項１に記載の防止機器。
【請求項３】
前記防止機器の外部に対して発光する発光手段と、
前記試験手段は、前記防止機器での試験に関する状況に対応する発光態様にて前記発光手段を発光させることにより、前記防止機器での試験に関する状況を報知する、
請求項１又は２に記載の防止機器。
【請求項４】
前記試験手段は、前記防止機器が前記試験信号を受け付けたこと、前記防止機器で行われた試験の種類、又は、前記防止機器で行われた試験の結果を、前記防止機器での試験に関する状況として報知する、
請求項３に記載の防止機器。
【請求項５】
前記複数種類の試験は、少なくとも、前記防止機器の感度に関する試験、前記防止機器の監視領域での異常を前記防止機器が検出したことを示す信号を出力する機能に関する試験、又は、前記防止機器の障害に関する試験を含む、
請求項１から４の何れか一項に記載の防止機器。
【請求項６】
前記検出手段は、複数設けられており、
前記試験手段は、前記検出手段による前記試験信号の検出継続時間、及び複数の前記検出手段のうちの何れが前記試験信号を検出したかに基づいて、前記防止機器の試験を行う、
請求項１から５の何れか一項に記載の防止機器。
【請求項７】
前記検出手段は、少なくとも磁気に基づく信号を前記試験信号として検出する、
請求項１から６の何れか一項に記載の防止機器。
【発明の詳細な説明】
【技術分野】
【０００１】
本発明は、防止機器に関する。
【背景技術】
【０００２】
従来、天井等に設置されて火災を検出する感知器が知られていた（例えば、特許文献１参照）。
【先行技術文献】
【特許文献】
【０００３】
【特許文献１】特開２０１８−１２８８７８号公報
【発明の概要】
【発明が解決しようとする課題】
【０００４】
ところで、特許文献１の感知器を含めて、一般的に、感知器については、当該感知器が正常に動作するか否かを確認するための試験が定期的に行われていた。そして、当該試験としては、例えば、試験用の冶具を用いて感知器に対して疑似的に発報信号を出力させる試験が行われていた。
【０００５】
しかしながら、感知器については、発報信号を出力機能以外にも様々な機能が設けられているので、様々な試験を行うことが要望されていた。
【０００６】
本発明は上記問題に鑑みてなされたもので、様々な試験を天井などの設置場所から取り外すことなく行うことができる防止機器を提供することを目的とする。
【課題を解決するための手段】
【０００７】
上述した課題を解決し、目的を達成するために、請求項１に記載の防止機器は、防災又は防犯のために用いられる防止機器であって、前記複数種類の試験を行うことが可能な防止機器であって、前記防止機器の外部の、所定の近接領域から入力される試験信号を検出する検出手段と、前記検出手段が検出した前記試験信号に基づいて、前記防止機器の試験を行う試験手段と、を備え、前記試験手段は、前記検出手段による前記試験信号の検出継続時間に基づいて、前記複数種類の試験のうちの少なくとも１種類の試験を選択し、選択した前記少なくとも１種類の試験を行う。
【０００８】
また、請求項２に記載の防止機器は、請求項１に記載の防止機器において、前記試験手段は、前記検出手段が所定時間以上連続して前記試験信号を検出した場合に、前記防止機器の試験を行う。
【０００９】
また、請求項３に記載の防止機器は、請求項１又は２に記載の防止機器において、前記防止機器の外部に対して発光する発光手段と、前記試験手段は、前記防止機器での試験に関する状況に対応する発光態様にて前記発光手段を発光させることにより、前記防止機器での試験に関する状況を報知する。
【００１０】
また、請求項４に記載の防止機器は、請求項３に記載の防止機器において、前記試験手段は、前記試験信号を受け付けたこと、前記防止機器で行われた試験の種類、又は、前記防止機器で行われた試験の結果を、前記防止機器での試験に関する状況として報知する。
【００１１】
また、請求項５に記載の防止機器は、請求項１から４のいずれか一項に記載の防止機器において、前記複数種類の試験は、少なくとも、前記防止機器の感度に関する試験、前記防止機器の監視領域での異常を前記防止機器が検出したことを示す信号を出力する機能に関する試験、又は、前記防止機器の障害に関する試験を含む。
【００１２】
また、請求項６に記載の防止機器は、請求項１から５のいずれか一項に記載の防止機器において、前記検出手段は、複数設けられており、前記試験手段は、前記検出手段による前記試験信号の検出継続時間、及び複数の前記検出手段のうちの何れが前記試験信号を検出したかに基づいて、前記防止機器の試験を行う。
【００１３】
また、請求項７に記載の防止機器は、請求項１から６のいずれか一項に記載の防止機器において、前記検出手段は、少なくとも磁気に基づく信号を前記試験信号として検出する。
【発明の効果】
【００１４】
請求項１に記載の防止機器によれば、検出手段による試験信号の検出継続時間に基づいて、複数種類の試験のうちの少なくとも１種類の試験を選択し、選択した少なくとも１種類の試験を行うことにより、例えば、様々な試験を行うことが可能となる。また、例えば、試験信号を出力する試験装置の試験冶具を、防止機器に対して近づけたり遠ざけたりするという単純な作業にて試験を選択することができるので、意図した試験を天井などの設置場所から取り外すことなく確実且つ容易に行うことが可能となる。
【００１５】
請求項２に記載の防止機器によれば、所定時間以上連続して試験信号を検出した場合に試験を行うことにより、例えば、外乱等によってユーザの意図に反して試験が行われることを防止することが可能となる。
【００１６】
請求項３に記載の防止機器によれば、防止機器での試験に関する状況に対応する発光態様にて発光手段を発光させることにより、防止機器での試験に関する状況を報知することにより、例えば、ユーザに対して試験に関する状況を認識させることが可能となる。
【００１７】
請求項４に記載の防止機器によれば、防止機器が試験信号を受け付けたこと、防止機器で行われた試験の種類、又は、防止機器で行われた試験の結果を報知することにより、例えば、ユーザに対して試験に関する様々な状況を認識させることが可能となる。
【００１８】
請求項５に記載の防止機器によれば、複数種類の試験は、少なくとも、防止機器の感度に関する試験、防止機器の監視領域での異常を防止機器が検出したことを示す信号を出力する機能に関する試験、又は、防止機器の障害に関する試験を含むことにより、例えば、防止機器の様々な機能の試験を行うことが可能となる。
【００１９】
請求項６に記載の防止機器によれば、検出手段による試験信号の検出継続時間、及び複数の検出手段のうちの何れが試験信号を検出したかに基づいて、防止機器の試験を行うことにより、例えば、選択可能な試験の種類の個数を増大させることができる。
【００２０】
請求項７に記載の防止機器によれば、少なくとも磁気に基づく信号を試験信号として検出することにより、例えば、電源等が不要で比較的安価で扱い易い磁石を備える試験冶具にて試験を行うことができるので、防止機器を試験するためのコストを低減させることが可能となる。
【図面の簡単な説明】
【００２１】
【図１】本発明の実施の形態における感知器の試験を行っている場合の側面図である。
【図２】感知器を示すブロック図である。
【図３】試験処理のフローチャートである。
【図４】表示灯の発光タイミングを示す図である。
【発明を実施するための形態】
【００２２】
以下に、本発明に係る防止機器の実施の形態を図面に基づいて詳細に説明する。なお、この実施の形態によりこの発明が限定されるものではない。
【００２３】
〔実施の形態の基本的概念〕
まずは、実施の形態の基本的概念について説明する。実施の形態は、概略的に、防止機器に関するものである。
【００２４】
「防止機器」とは、防災又は防犯のために用いられる機器であり、例えば、感知器、人体検出器、あるいは、感知器及び人体検出器以外の任意の装置を含む概念である。
【００２５】
「感知器」とは、防災のために用いられる防災機器であり、また、監視領域の異常を検出する機器であり、具体的には、監視領域の検出対象を検出することにより、火災、又はガス漏れ等の異常を検出する機器であり、例えば、煙感知器、熱感知器、火災感知器、及びガス感知器、あるいは、これらの各感知器の機能を組み合わせたコンベンショナル感知器等を含む概念である。また、「感知器」とは、例えば、検出手段、及び試験手段を備え、任意で発光手段を備えるものである。
【００２６】
「人体検出器」とは、防犯のために用いられる防犯機器であり、また、監視領域の異常を検出する機器であり、具体的には、監視領域への人の侵入又は監視領域内の人（例えば不審者等）の存在を検出する機器であり、例えば、人感センサ等を用いて構成することができる機器等を含む概念である。
【００２７】
「監視領域」とは、防止機器による監視の対象となっている領域であり、具体的には、一定の広がりを持った空間であり、例えば、建築物の部屋（例えば、１階の部屋Ａ、１階の部屋Ｂ等）、廊下、階段等を含む概念である。また、「監視領域の異常」とは、監視領域の状態が通常とは異なっている状態であることであり、具体的には、火災発生、ガス漏れ、人（例えば不審者等）の侵入又は存在等を含む概念である。
【００２８】
「検出手段」とは、防止機器の外部の、所定の近接領域から入力される試験信号を検出する手段であり、例えば、１個のみ設けられるもの、あるいは、複数個設けられるもの等を含む概念である。なお、「所定の近接領域」とは、例えば、防止機器の周囲の予め定められた領域であり、一例としては、防止機器外装から３ｃｍ以内の領域等を含む概念である。
【００２９】
「試験信号」とは、防止機器の試験を行うための信号であり、例えば、磁気、光、音（つまり、音波又は振動）、圧力、又は静電気のうちの少なくとも１個に基づく信号等を含む概念である。
【００３０】
「試験手段」とは、検出手段が検出した試験信号に基づいて、防止機器の試験を行う手段であり、具体的には、検出手段による前記試験信号の検出継続時間に基づいて、複数種類の試験のうちの少なくとも１種類の試験を選択し、選択した少なくとも１種類の試験を行う手段である。また、「試験手段」とは、例えば、検出手段が所定時間以上連続して試験信号を検出した場合に、防止機器の試験を行う手段等を含む概念であり、また、防止機器での試験に関する状況に対応する発光態様にて発光手段を発光させることにより、防止機器での試験に関する状況を報知する手段等を含む概念であり、また、検出手段による試験信号の検出継続時間、及び複数の検出手段のうちの何れが試験信号を検出したかに基づいて、防止機器の試験を行う手段等を含む概念である。
【００３１】
「試験信号の検出継続時間」とは、例えば、試験信号を連続して検出し続けた時間、あるいは、試験信号を連続して検出し続けたものとみなす時間等を含む概念である。
【００３２】
「試験」とは、防止機器の機能が正常であるか否かを検査する試験であり、例えば、感度試験、発報試験、及び障害試験等を含む概念である。「感度試験」とは、防止機器の異常を検出する感度を検査する試験であり、例えば、防止機器のゼロ点が正常であるか否かを検査する試験等を含む概念である。「ゼロ点」とは、例えば、火災が発生していない場合における防止機器である感知器による火災に関連する物理量の検出値に対応する概念である。「発報試験」とは、防止機器が異常を検出した場合の動作を検査する試験であり、例えば、想定通り発報信号を出力するか否かを検査する試験等を含む概念である。「障害試験」とは、防止機器自体の障害を検査する試験であり、例えば、防止機器の構成要素が正常に動作するか否か又は断線していないか否か等を検査する試験等を含む概念である。
【００３３】
「試験に関する状況」とは、例えば、防止機器が試験信号を受け付けたこと、防止機器で行われた試験の種類、又は、防止機器で行われた試験の結果等を含む概念である。
【００３４】
「発光手段」とは、防止機器の外部に対して発光する手段であり、例えば、任意の光源（一例としては、ＬＥＤ等）を有するもの等を含む概念である。「発光態様」とは、発光手段による発光のあり様であり、例えば、発光する色である発光色、及び発光するパターンである発光パターン等を含む概念である。
【００３５】
そして、以下に示す実施の形態では、「防止機器」が感知器であり、また、「試験信号」が磁気に基づく信号である場合について説明する。
【００３６】
［実施の形態の具体的内容］
次に、実施の形態の具体的内容について説明する。
【００３７】
（構成）
まず、本実施の形態に係る感知器の構成について説明する。図１は、本発明の実施の形態における感知器の試験を行っている場合の側面図であり、図２は、感知器を示すブロック図である。なお、図１において、感知器１の一部は実際には試験冶具２２に隠れて見えない状態となっているが、便宜上、実線にて描かれている。図２の感知器１は、防止機器であり、例えば、物理量検出部１１、磁界検出部１２、情報出力部１３、記録部１４、及び制御部１５を備える。
【００３８】
（構成−物理量検出部）
物理量検出部１１は、異常である火災に関連する物理量を検出する物理量検出手段である。この物理量検出部１１の具体的な種類や構成は任意であるが、例えば、検煙空間、当該検煙空間に入り込んだ煙の濃度を検出する煙検出手段を用いて構成することができる。なお、煙検出手段としては、少なくとも、ＬＥＤ等の発光部と、当該発光部からの光に基づく光を受光するフォトダイオード等の受光部とを用いて、散乱光式又は減光式のものとして構成することができる。
【００３９】
（構成−磁界検出部）
磁界検出部１２は、感知器１の外部の、所定の近接領域から入力される試験信号を検出する磁界検出手段である。この磁界検出部１２の具体的な種類や構成は任意であるが、例えば、図１に示す試験装置２の支持棒２１の先端に設けられている試験冶具２２の所定位置に、試験信号である磁気を出力するマグネット（例えば、永久磁石）が設けられていることとし、この試験冶具２２が感知器１に近接された場合に当該マグネットから出力される試験信号である磁気によって発生する磁界を検出するように構成されており、また、ホールＩＣ（検出手段）等を用いて構成することができる。なお、ここでは、例えば、磁界検出部１２のホールＩＣは、感知器１おける所定位置に１個のみ設けられていることとして説明する。
【００４０】
（構成−情報出力部）
情報出力部１３は、感知器１に関連する情報を出力する情報出力手段である。この情報出力部の具体的な種類や構成は任意であるが、例えば、図１の表示灯１３１等を備えて構成することができる。表示灯１３１は、感知器１の外部に対して発光する発光手段であり、例えば、ＬＥＤ等の光源を用いて構成することができる。なお、ここでは、図１の試験冶具２２は貫通した中空部を有する筒形状となっているので、当該試験冶具２２が感知器１に近接された場合でも、表示灯１３１は当該中空部を介して露出することになり、ユーザは表示灯１３１を視認することが可能となる。
【００４１】
（構成−記録部）
図２に戻って、記録部１４は、感知器１の動作に必要なプログラム及び各種のデータを記録する記録手段であり、例えば、フラッシュメモリを用いて構成させている。ただし、フラッシュメモリに代えて任意の記録媒体を用いることができる。
【００４２】
（構成−制御部）
制御部１５は、感知器１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る制御プログラムは、任意の記録媒体又はネットワークを介して感知器１にインストールされることで、制御部１５の各部を実質的に構成する。
【００４３】
制御部１５は、機能概念的には、例えば、試験部１５１を備える。試験部１５１は、磁界検出部１２のホールＩＣが検出した試験信号に基づいて、感知器１の試験を行う試験手段であり、具体的には、磁界検出部１２のホールＩＣによる前験信号の検出継続時間に基づいて、複数種類の試験のうちの少なくとも１種類の試験を選択し、選択した少なくとも１種類の試験を行う手段である。なお、この制御部１５の各部により行われる処理については、後述する。
【００４４】
（処理）
次に、このように構成される図２の感知器１によって実行される試験処理について説明する。図３は、試験処理のフローチャートである（以下の各処理の説明ではステップを「Ｓ」と略記する）。「試験処理」とは、試験に関する処理であり、具体的には、感度試験又は発報試験を行う処理である。この試験処理を実行するタイミングは任意のタイミングであるが、例えば、感知器１の電源をオンした場合に起動されて実行するものとして、試験処理が起動されたところから説明する。
【００４５】
図３のＳＡ１において試験部１５１は、試験を行うか否かを判定する。具体的には任意であるが、例えば、磁界検出部１２のホールＩＣの出力値を監視し、ホールＩＣが所定レベル以上の磁界を所定時間（例えば、０．５秒等）以上検出したか否かを判定し、判定結果に基づいて判定する。そして、ホールＩＣが所定レベル以上の磁界を所定時間以上検出していないものと判定した場合、所定時間以上連続して試験信号を検出したわけではないので、試験信号を受け付けていないものと判断し、試験を行わないものと判定した（ＳＡ１のＮＯ）上で、試験を行うものと判定するまで、ＳＡ１を繰り返し実行する。また、ホールＩＣが所定レベル以上の磁界を所定時間以上検出したものと判定した場合、所定時間以上連続して試験信号を検出したので、試験信号を受け付けたものと判断し、試験を行うものと判定した（ＳＡ１のＹＥＳ）上で、ＳＡ２に移行する。
【００４６】
ここでは、例えば、図１に示すように、ユーザが試験装置２の試験冶具２２を所定時間以上感知器１に近接させた場合、当該試験冶具２２のマグネットから出力される磁気によって発生する所定レベル以上の磁界がホールＩＣに所定時間以上印加されることになるので、試験信号を受け付けたものと判断し、試験を行うものと判定する。
【００４７】
図３のＳＡ２において試験部１５１は、感知器１が試験信号を受け付けたことを示す情報（試験に関する状況）を出力する。図４は、表示灯の発光タイミングを示す図であり、（ａ）は試験を行わない通常時を示しており、また、（ｂ）は感度試験を行う場合を示しており、また、（ｃ）は発報試験を行う場合を示している。なお、図４においては、（ａ）にて図示されているように、大小のパルスが１秒間隔の時間を示しており、大きなパルス（以下、大パルス）が発光するタイミングを示しており、この大パルス以外（つまり、小さなパルス（小パルス）及びパルスが図示されていない部分）は発光していないタイミングを示している。また、この表示灯１３１の発光については、従来と同様にして、制御部１５によって制御される。例えば、図４（ａ）に示す通常時には、表示灯１３１は、図示されている大パルスのタイミングで、緑色に発光することにより、３秒間隔で緑色に点滅していることとして、以下説明する。
【００４８】
図３のＳＡ２の処理について具体的には任意であるが、例えば、表示灯１３１の発光態様を、感知器１が試験信号を受け付けたことを示す発光態様に変更することにより、当該試験信号を受け付けたことを示す情報を出力する。詳細には、表示灯１３１を１秒間隔で５回点滅させる。ここでは、例えば、図４（ｂ）のタイミングＴ１１に、ユーザが試験冶具２２を感知器１に近接させて、ＳＡ１にて試験を行うものと判定した場合、この後の５個の大パルスのタイミングで、表示灯１３１を赤色で５回発光させることにより、当該表示灯１３１を赤色で５回点滅させる。この場合、ユーザは、表示灯１３１の発光色及び発光パターンを視認することにより、感知器１が試験信号を受け付けたことを把握することが可能となる。
【００４９】
図３のＳＡ３において試験部１５１は、試験を選択する。具体的には任意であるが、例えば、感知器１に感度試験及び発報試験を行う機能が備えられていることとて、何れかの試験を選択する。詳細には、磁界検出部１２のホールＩＣを監視し、試験信号を受け付けた時からホールＩＣが磁界を検出し続けた時間を特定し、特定した時間が種別判定用時間未満である場合、感度試験を選択し、また、特定した時間が種別判定用時間以上である場合、発報試験を選択する。なお、ここでの「ホールＩＣが磁界を検出し続けた時間」が「試験信号の検出継続時間」に相当する。ここで、「種別判定用時間」とは、試験を選択する基準となる時間であり、具体的には、ユーザが意図している試験を判定する基準となる時間であり、一例としては、図４（ｂ）に示す時間間隔Ｔ１２に対応する９秒間等である。なお、ここでの「試験信号を受け付けた時」としては、例えば、図４（ｂ）に示すように、５個の大パルスのうちの最初の大パルスに対応するタイミング（つまり、表示灯１３１が赤色にて５回発光する場合の１回目の発光のタイミング）に対応するものとして以下説明する。
【００５０】
ここでは、例えば、図４（ｂ）のタイミングＴ１１に、ユーザが試験冶具２２を感知器１に近接させた後、時間間隔Ｔ１２の間のタイミングに当該試験冶具２２を感知器１から遠ざけた場合、ホールＩＣが磁界を検出し続けた時間が種別判定用時間未満となるので、感度試験を選択する。また、例えば、図４（ｃ）のタイミングＴ１１に、ユーザが試験冶具２２を感知器１に近接させた後、時間間隔Ｔ１２の経過後のタイミングに当該試験冶具２２を感知器１から遠ざけた場合、ホールＩＣが磁界を検出し続けた時間が種別判定用時間以上となるので、発報試験を選択する。
【００５１】
図３のＳＡ４において試験部１５１は、試験を行う。具体的には任意であるが、例えば、ＳＡ３で選択した試験を行う。なお、ここで行う感度試験及び発報試験の具体的な内容は公知であるので、概要のみ説明する。
【００５２】
詳細には、ＳＡ３で感度試験を選択した場合、感知器１のゼロ点を任意の手法で特定し、特定したゼロ点が規定範囲内であるか否かを判定し、判定結果を表示灯１３１を介して出力する。判定結果の出力手法は任意であるが、例えば、ゼロ点が規定範囲内である場合、正常である判定結果を出力するために、図４（ｂ）の時間間隔Ｔ１２の後の大パルスのタイミングで表示灯１３１を緑色にて発光させる（つまり、図４（ａ）通常時の発光に戻す）。一方、例えば、ゼロ点が規定範囲内でない場合、異常である判定結果を出力するために、図４（ｂ）の時間間隔Ｔ１２の後の大パルスのタイミングで表示灯１３１を赤色にて発光させることにより、３秒間隔で赤色に点滅させる。
【００５３】
また、ＳＡ４で発報試験を選択した場合、感知器１が火災を検出した場合と同様にして発報信号を出力する処理を行い、正常に発報信号を出力した場合、図４（ｃ）のタイミングＴ１３の大パルスに示すタイミングで、表示灯１３１を赤色にて発光させる（つまり、表示灯１３１を赤色にて点灯させ続ける）。なお、この表示灯１３１の発光については、公知のリセット操作を行うまで持続されることになる。
【００５４】
これらの場合、ユーザは、表示灯１３１の発光色及び発光パターンを視認することにより、感知器１で行われた試験の種類、及び当該試験の結果を把握することが可能となる。これにて、試験処理を終了する。
【００５５】
（実施の形態の効果）
このように本実施の形態によれば、磁界検出部１２のホールＩＣによる試験信号の検出継続時間に基づいて、複数種類の試験のうちの少なくとも１種類の試験を選択し、選択した少なくとも１種類の試験を行うことにより、例えば、様々な試験を行うことが可能となる。また、例えば、試験信号を出力する試験装置２の試験冶具２２を、感知器１に対して近づけたり遠ざけたりするという単純な作業にて試験を選択することができるので、意図した試験を天井などの設置場所から取り外すことなく確実且つ容易に行うことが可能となる。
【００５６】
また、所定時間以上連続して試験信号を検出した場合に試験を行うことにより、例えば、外乱等によってユーザの意図に反して試験が行われることを防止することが可能となる。
【００５７】
また、感知器１での試験に関する状況に対応する発光態様にて表示灯１３１を発光させることにより、感知器１での試験に関する状況を報知することにより、例えば、ユーザに対して試験に関する状況を認識させることが可能となる。
【００５８】
また、試験信号を受け付けたこと、感知器１で行われた試験の種類、又は、感知器１で行われた試験の結果を報知することにより、例えば、ユーザに対して試験に関する様々な状況を認識させることが可能となる。
【００５９】
また、複数種類の試験は、少なくとも、感度試験、及び発報試験を含むことにより、例えば、感知器１の様々な機能の試験を行うことが可能となる。
【００６０】
また、磁気に基づく信号を試験信号として検出することにより、例えば、電源等が不要で比較的安価で扱い易い磁石を備える試験冶具２２にて試験を行うことができるので、感知器１を試験するためのコストを低減させることが可能となる。
【００６１】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６２】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００６３】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。
【００６４】
（試験について（その１））
また、上記実施の形態では、図３のＳＡ３にて感度試験又は発報試験を選択する場合について説明したがこれに限らない。例えば、障害試験を選択するように構成してもよい。
【００６５】
（試験について（その２））
また、上記実施の形態で説明した各発光態様とは異なる発光態様にて表示灯１３１を発光させることにより、試験に関する状況を出力するように構成してもよい。
【００６６】
（試験について（その３））
また、上記実施の形態では、図３のＳＡ３にて、磁界検出部１２の１個のホールＩＣが磁界を検出し続けた時間に基づいて、感知器１で行う試験を選択する場合について説明したが、これに限らない。例えば、磁界検出部１２のホールＩＣを複数個設けて、当該ホールＩＣの磁界の検出感度、及び試験冶具２２のマグネットの取り付け個数、位置又は磁界の強さを調整して、複数のホールＩＣが相互に選択的に磁界を検出できるように構成し、磁界を検出したホールＩＣに基づいて試験を選択するように構成してもよい。つまり、例えば、ホールＩＣとして第１ホールＩＣ、及び第２ホールＩＣを設けた上で、第１ホールＩＣのみが磁界を検出した場合に感度試験を選択して当該試験を行い、また、第２ホールＩＣのみが磁界を検出した場合に発報試験を選択して当該試験を行い、また、第１及び第２ホールＩＣが両方もと磁界を検出した場合に障害試験を選択して当該試験行うように構成してもよい。
【００６７】
（試験について（その４））
また、実施の形態の技術（磁界を検出し続けた時間に基づいて試験を選択する技術）と「（試験について（その３））」の技術（磁界を検出したホールＩＣに基づいて試験を選択する技術）とを組み合わせて、磁界を検出したホールＩＣ、及び当該ホールＩＣが磁界を検出し続けた時間に基づいて試験を選択し、当該試験を行うように構成してもよい。このように構成することにより、ホールＩＣによる試験信号の検出継続時間、及び複数のホールＩＣのうちの何れが試験信号を検出したかに基づいて、感知器１の試験を行うことにより、例えば、選択可能な試験の種類の個数を増大させることができる。
【００６８】
（試験信号について）
また、上記実施の形態では、「試験信号」が磁気に基づく信号である場合について説明したが、これに限らない。例えば、図２の試験冶具２２に任意の構成要素を設けて、光、音（つまり、音波又は振動）、圧力、又は静電気を感知器１側に出力するように構成した上で、これらの光、音（つまり、音波又は振動）、圧力、又は静電気に基づく信号を試験信号として用いてもよい。なお、この場合、感知器１に対して、これらの光、音（つまり、音波又は振動）、圧力、又は静電気に基づく信号を検出する任意の構成要素を検出手段として設けてもよい。
【００６９】
（特徴について）
また、上記実施の形態の構成、及び変形例の特徴を、任意に組み合わせてもよい。
【００７０】
（付記）
付記１の防止機器は、防災又は防犯のために用いられる防止機器であって、複数種類の試験を行うことが可能な前記防止機器であって、前記防止機器の外部の、所定の近接領域から入力される試験信号を検出する検出手段と、前記検出手段が検出した前記試験信号に基づいて、前記防止機器の試験を行う試験手段と、を備え、前記試験手段は、前記検出手段による前記試験信号の検出継続時間に基づいて、前記複数種類の試験のうちの少なくとも１種類の試験を選択し、選択した前記少なくとも１種類の試験を行う。
【００７１】
付記２の防止機器は、付記１に記載の防止機器において、前記試験手段は、前記検出手段が所定時間以上連続して前記試験信号を検出した場合に、前記防止機器の試験を行う。
【００７２】
付記３の防止機器は、付記１又は２に記載の防止機器において、前記防止機器の外部に対して発光する発光手段と、前記試験手段は、前記防止機器での試験に関する状況に対応する発光態様にて前記発光手段を発光させることにより、前記防止機器での試験に関する状況を報知する。
【００７３】
付記４の防止機器は、付記３に記載の防止機器において、前記試験手段は、前記防止機器が前記試験信号を受け付けたこと、前記防止機器で行われた試験の種類、又は、前記防止機器で行われた試験の結果を、前記防止機器での試験に関する状況として報知する。
【００７４】
付記５の防止機器は、付記１から４のいずれか一項に記載の防止機器において、前記複数種類の試験は、少なくとも、前記防止機器の感度に関する試験、前記防止機器の監視領域での異常を前記防止機器が検出したことを示す信号を出力する機能に関する試験、又は、前記防止機器の障害に関する試験を含む。
【００７５】
付記６の防止機器は、付記１から５のいずれか一項に記載の防止機器において、前記検出手段は、複数設けられており、前記試験手段は、前記検出手段による前記試験信号の検出継続時間、及び複数の前記検出手段のうちの何れが前記試験信号を検出したかに基づいて、前記防止機器の試験を行う。
【００７６】
付記７の防止機器は、付記１から６のいずれか一項に記載の防止機器において、前記検出手段は、少なくとも磁気に基づく信号を前記試験信号として検出する。
【００７７】
（付記の効果）
付記１に記載の防止機器によれば、検出手段による試験信号の検出継続時間に基づいて、複数種類の試験のうちの少なくとも１種類の試験を選択し、選択した少なくとも１種類の試験を行うことにより、例えば、様々な試験を行うことが可能となる。また、例えば、試験信号を出力する試験装置の試験冶具を、防止機器に対して近づけたり遠ざけたりするという単純な作業にて試験を選択することができるので、意図した試験を天井などの設置場所から取り外すことなく確実且つ容易に行うことが可能となる。
【００７８】
付記２に記載の防止機器によれば、所定時間以上連続して試験信号を検出した場合に試験を行うことにより、例えば、外乱等によってユーザの意図に反して試験が行われることを防止することが可能となる。
【００７９】
付記３に記載の防止機器によれば、防止機器での試験に関する状況に対応する発光態様にて発光手段を発光させることにより、防止機器での試験に関する状況を報知することにより、例えば、ユーザに対して試験に関する状況を認識させることが可能となる。
【００８０】
付記４に記載の防止機器によれば、防止機器が試験信号を受け付けたこと、防止機器で行われた試験の種類、又は、防止機器で行われた試験の結果を報知することにより、例えば、ユーザに対して試験に関する様々な状況を認識させることが可能となる。
【００８１】
付記５に記載の防止機器によれば、複数種類の試験は、少なくとも、防止機器の感度に関する試験、防止機器の監視領域での異常を防止機器が検出したことを示す信号を出力する機能に関する試験、又は、防止機器の障害に関する試験を含むことにより、例えば、防止機器の様々な機能の試験を行うことが可能となる。
【００８２】
付記６に記載の防止機器によれば、検出手段による試験信号の検出継続時間、及び複数の検出手段のうちの何れが試験信号を検出したかに基づいて、防止機器の試験を行うことにより、例えば、選択可能な試験の種類の個数を増大させることができる。
【００８３】
付記７に記載の防止機器によれば、少なくとも磁気に基づく信号を試験信号として検出することにより、例えば、電源等が不要で比較的安価で扱い易い磁石を備える試験冶具にて試験を行うことができるので、防止機器を試験するためのコストを低減させることが可能となる。
【符号の説明】
【００８４】
１  感知器
２  試験装置
１１  物理量検出部
１２  磁界検出部
１３  情報出力部
１４  記録部
１５  制御部
２１  支持棒
２２  試験冶具
１３１  表示灯
１５１  試験部
Ｔ１１  タイミング
Ｔ１２  時間間隔
Ｔ１３  タイミング
【図１】
2020154717.tif 000003
【図２】
2020154717.tif 000004
【図３】
2020154717.tif 000005
【図４】
2020154717.tif 000006